(57)【要約】【課題】回転両刃シュレッダーの寿命を倍増できるようにする。【解決手段】平行に配置された一対のスプライン軸２の各々に対して、円周方向に複数個の切断刃３を備えた円盤状の回転破砕刃４を複数枚積層して挿入嵌合させ、一対のスプライン軸２の各々を互いに異なる方向に回転させる回転両刃シュレッダー１であって、切断刃３は両刃構成から成っており、何れかの切断刃３が損傷した場合には、当該損傷を有する切断刃３が形成された回転破砕刃４のみを交換可能に構成する。【選択図】図４
2013240761.tif 000002
【特許請求の範囲】
【請求項１】
平行に配置された一対のスプライン軸の各々に対して、円周方向に複数個の切断刃を備えた円盤状の回転破砕刃を複数枚積層して挿入嵌合させ、前記一対のスプライン軸の各々を互いに異なる方向に回転させるシュレッダーであって、
前記切断刃は両刃構成から成っており、何れかの切断刃が損傷した場合には、当該損傷を有する切断刃が形成された回転破砕刃のみを交換可能に構成したことを特徴とする回転両刃シュレッダー。
【請求項２】
前記回転破砕刃を構成するユニットを上下反転して組み付け可能に構成することにより、前記切断刃の両刃を裁断に使用できるように構成したことを特徴とする請求項１に記載の回転両刃シュレッダー
【請求項３】
前記一対のスプライン軸を回転自在に保持する軸受フランジを半割構造とし、前記複数の回転破砕刃のうち、何れかの切断刃が損傷した場合には、前記軸受フランジを半割に分割して、該軸受フランジから前記スプライン軸を取り外して前記損傷した切断刃を個々に交換できるように構成したことを特徴とする請求項１又は２に記載の回転両刃シュレッダー。
【請求項４】
前記切断刃のスクイ角を１度〜３０度に形成し、裁断するときの剪断抵抗を小さくしたことを特徴とする請求項１〜３の何れか１項に記載の回転両刃シュレッダー。
【請求項５】
前記回転破砕刃に形成した複数個の切断刃の間に、該切断刃よりも高さが低い刃底突起を形成したことを特徴とする請求項１〜４の何れか１項に記載の回転両刃シュレッダー。
【請求項６】
前記一対のスプライン軸のうち、一方のスプライン軸を第１の動力伝達手段を介して回転駆動するインバータ制御された第１のモータと、他方のスプライン軸を第２の動力伝達手段を介して回転駆動するインバータ制御された第２のモータとを備え、
一方のスプライン軸を他方のスプライン軸よりも高速で回転させ、当該回転両刃シュレッダーの所定運転時間間隔毎、或いはオンオフの所定回数毎に、前記他方のスプライン軸を前記一方のスプライン軸よりも高速で回転させて、高速で回転されるスプライン軸を交互に自動的に切り替える制御手段を備えたことを特徴する請求項１〜５の何れか１項に記載の回転両刃シュレッダー。
【発明の詳細な説明】
【技術分野】
【０００１】
本発明は、切断刃として両刃を備えた回転両刃シュレッダーに関し、特に、両刃を備えた回転破砕刃を対向して一対配置し、対向配置された回転破砕刃の回転に伴って、回転破砕間に廃棄紙等を導いて、当該廃棄紙を裁断することが可能な回転両刃シュレッダーに関する。
【０００２】
本発明の回転両刃シュレッダーは、特に、機密書類の資源化のためにダンボールごと裁断を行うものに適しており、保存文書、機密書類、プラスチック等を裁断することができる。また、インバータ制御によりモータの回転を制御し省エネ運転が可能なものである。さらには、万が一の異物混入による刃物の破損にも破損部分のみの刃物交換が可能である。
【背景技術】
【０００３】
シュレッダーは、通常、一対の回転破砕刃群を対抗配置し、一方の回転破砕刃群を他方の回転破砕刃群とは反対方向に回転させ、それにより、刃間に複数枚の廃棄紙を導いて裁断する装置である。
【０００４】
特許文献１（特開２００７−９８２８６号公報）は、紙と各種方式のデータメディアとを一台のシュレッダーで、細断処理することの出来る複合型シュレッダーを提供するものである。これには、カッター本体の摺り合わせない背方片面に、外周端縁に向けてテーパーを付け、対向して反対方向に回転駆動するカッター本体の細断刃における突切り刃部とこれに連続する凹切刃部とが互いに相対応するように組み合わせるとともに、駆動回転により対応する左右の突切り刃部の刃先間隔が、厚さ各種メディアが挿入できる幅になったとき、当該メディアの先端部が対応する左右の凹切刃部が構成する噛込みスペース内に４ｍｍ以上挿入できるように構成し、且つ左右の凹切刃部の刃底における最小噛み合わせ部分が１ｍｍ以上となるように組合せ構成したマルチメディア細断用カッターである。また、当該マルチメディア細断用カッターと紙細断用カッターとの２種類を２本の平行軸にタンデムに配置軸着した複合型シュレッダーが開示されている。
【０００５】
また、特許文献２（実用新案登録第３１３９２４２号公報）は、シュレッダーを稼動するのに必要な電力消耗量を削減することができるシュレッダーの切断刃及び回転切断組立部品の提供を課題として、複数の切断刃を含み、切断刃は少なくとも隣接する三本の歯を二セット有し、隣接する歯は互いに接し、隣接する歯のセットは切断刃の周縁に沿って間隔をおくように設置される。隣接する三本やそれ以上の歯の構成は、紙とその他の媒介物をより簡単に引き裂くことができるシュレッダーが開示されている。
【先行技術文献】
【特許文献】
【０００６】
【特許文献１】特開２００７−９８２８６号公報
【特許文献２】実用新案登録第３１３９２４２号公報
【発明の概要】
【発明が解決しようとする課題】
【０００７】
本発明が解決しようとする課題は、回転両刃シュレッダーの寿命を延ばすことであり、また、本発明が解決しようとする課題は、回転破砕刃の切断刃が破損した場合には、破損した切断刃のみを有する回転破砕場の交換を行うことで修理を可能にすることにある。
【課題を解決するための手段】
【０００８】
請求項１の回転両刃シュレッダーの発明は、
平行に配置された一対のスプライン軸の各々に対して、円周方向に複数個の切断刃を備えた円盤状の回転破砕刃を複数枚積層して挿入嵌合させ、前記一対のスプライン軸の各々を互いに異なる方向に回転させるシュレッダーであって、
前記切断刃は両刃構成から成っており、何れかの切断刃が損傷した場合には、当該損傷を有する切断刃が形成された回転破砕刃のみを交換可能に構成したことを特徴とする。
【０００９】
請求項２の回転両刃シュレッダーの発明は、請求項１において、
前記回転破砕刃を構成するユニットを上下反転して組み付け可能に構成することにより、前記切断刃の両刃を裁断に使用できるように構成したことを特徴とする。
【００１０】
請求項３の回転両刃シュレッダーの発明は、請求項１又は２において、
前記一対のスプライン軸を回転自在に保持する軸受フランジを半割構造とし、前記複数の回転破砕刃のうち、何れかの切断刃が損傷した場合には、前記軸受フランジを半割に分割して、該軸受フランジから前記スプライン軸を取り外して前記損傷した切断刃を個々に交換できるように構成したことを特徴とする。
【００１１】
請求項４の回転両刃シュレッダーの発明は、請求項１〜３の何れか１項において、
前記切断刃のスクイ角を１度〜３０度に形成し、裁断するときの剪断抵抗を小さくしたことを特徴とする。
【００１２】
請求項５の回転両刃シュレッダーの発明は、請求項１〜４の何れか１項において、
前記回転破砕刃に形成した複数個の切断刃の間に、該切断刃よりも高さが低い刃底突起を形成したことを特徴とする。
【００１３】
請求項６の回転両刃シュレッダーの発明は、請求項１〜５の何れか１項において、
前記一対のスプライン軸のうち、一方のスプライン軸を第１の動力伝達手段を介して回転駆動するインバータ制御された第１のモータと、他方のスプライン軸を第２の動力伝達手段を介して回転駆動するインバータ制御された第２のモータとを備え、
一方のスプライン軸を他方のスプライン軸よりも高速で回転させ、当該回転両刃シュレッダーの所定運転時間間隔毎、或いはオンオフの所定回数毎に、前記他方のスプライン軸を前記一方のスプライン軸よりも高速で回転させて、高速で回転されるスプライン軸を交互に自動的に切り替える制御手段を備えたことを特徴する。
【発明の効果】
【００１４】
本発明は、回転破砕刃の切断刃を両刃構成にすることにより、シュレッダーの寿命を倍増させることができる。すなわち、回転破砕刃を構成するユニットを上下にそれぞれ反転して組み付けることで、切断刃の片側の切断刃のみを、廃棄紙等を裁断する切断部分として用いるのではなく、切断刃の両側（両刃）を、廃棄紙を裁断する切断部分として用いることができるから、回転破砕刃の寿命を長くすることができる。
【００１５】
また、回転両刃シュレッダーの複数積層された回転破砕刃のうち、何れかの回転破砕刃の切断刃が破損した場合には、軸受フランジを半割に分割し、軸受フランジから、複数枚の回転破砕刃が挿入篏合されたスプライン軸を容易に取り外すことができるから、損傷を有する切断刃が形成された回転破砕刃を簡単に交換することが可能となる。
【００１６】
また、切断刃のスクイ角を１度〜３０度に形成し、裁断するときの剪断抵抗を小さくできるので、紙鋏の如く剪断抵抗を小さくできることで廃棄紙等を裁断するときの破砕能力を向上することができる。
【００１７】
また、複数個の切断刃の間に、該切断刃よりも高さが低い刃底突起を形成したことにより、より効果的に廃棄紙等を破砕することが可能となり、また、複数個の切断刃の間に廃棄紙等が目詰まりしてしまうことを抑制することができる。
【００１８】
また、制御手段により、一対のスプライン軸のそれぞれに対応した回転破砕刃が同じ回転速度とならないよう、予め設定された時間や回転両刃シュレッダーの稼動毎に、交互に変速的に回転速度が切り替えられるので、廃棄紙の裁断を一層効果的に行うことが可能となる。
【図面の簡単な説明】
【００１９】
【図１】（Ａ）は回転両刃シュレッダーの回転破砕刃を示す正面図であり、（Ｂ）は回転両刃シュレッダーの回転破砕刃を示す側面図である。
【図２】（Ａ）は回転破砕刃の切断刃を示す正面図であり、（Ｂ）は切断刃のＡ−Ａ線断面図、（Ｃ）は切断刃のＢ−Ｂ線断面図である。
【図３】刃底突起を形成した回転両刃シュレッダーの変形例を示すものであり、（Ａ）は回転両刃シュレッダーの回転破砕刃を示す正面図であり、（Ｂ）は回転両刃シュレッダーの回転破砕刃を示す側面図である。
【図４】回転両刃シュレッダーを上方から視た状態を示す概略構成図である。
【図５】第１の動力伝達手段及び第２の動力伝達手段を示す概略構成図である。
【図６】第１のモータの駆動力を一方のスプライン軸に伝達する第１の動力伝達手段と、第２のモータの駆動力を他方のスプライン軸に伝達する第２の動力伝達手段と、投入ホッパーを示す概略構成図である。
【図７】半割構造の軸受フランジを示し、（Ａ）は半割に分割されたときに上側に位置する軸受フランジを示す正面図及び低面図、（Ｂ）は半割に分割されたときに下側に位置する軸受フランジを示す正面図及び低面図、（Ｃ）は上下に分割される軸受フランジを一体に組み付けた状態を示す正面図である。
【発明を実施するための形態】
【００２０】
以下、図面を用いて本発明の回転両刃シュレッダーの実施形態を図１〜図７により説明する。なお、図面に示した実施形態は、本発明の技術的範囲を限定するためのものではなく、当業者が容易にできる設計変更は本発明の範囲に属するものである。
【００２１】
本発明の一例の回転両刃シュレッダー１は、平行に配置された一対のスプライン軸２Ａ，２Ｂを備え、これら一対のスプライン軸２には、円周方向に複数個の切断刃３を備えた円盤状の回転破砕刃４が複数枚積層して挿入篏合されている。
【００２２】
一対のスプライン軸２の各々は、第１のモータ（図示せず）、第２のモータ（図示せず）により駆動されるものであり、軸受フランジ７に回転自在に保持されており、当該軸受フランジ７は、図７に示すように、上下に半割構造となっていて、何れかの切断刃３が損傷した場合には、軸受フランジ７を半割に分割して、該軸受フランジ７から回転破砕刃４が一体に設けられたスプライン軸２を取り外して、当該スプライン軸２に挿入篏合されている前記損傷した破断刃３を有する回転破砕刃４を簡単に交換となっている。
【００２３】
複数の回転破砕刃４を保持したスプライン軸２を保持する軸受フランジ７は、上下反転して組み付けできるように構成されており、上下の何れの組み付け状態においても、投入ホッパー８から投入された廃棄紙が、第１，第２のモータを駆動源として、スプライン軸２を介して回転破砕刃４が回転されることになる。ただし、スプライン軸２を保持する軸受フランジ７を、上下反転して組み付けることにより、回転破砕刃４の回転方向が変わり、両刃の反対側の刃が使用されることになる。そして、廃棄紙が切断刃３の間に導かれつつ裁断され、最終的に裁断された廃棄紙は、該回転破砕刃４の下方に設けられた図示しない廃棄紙収容容器に投下され収容される。
【００２４】
また、一対のスプライン軸２のうち、一方のスプライン軸２は、第１のモータにより第１の動力伝達手段１０を介して回転駆動されるものであり、他方のスプライン軸２は、第１のモータとは異なる第２のモータにより、第２の動力伝達手段１１を介して回転駆動されるようになっており、これらの回転速度は、図示しない制御手段により制御され、廃棄紙を裁断するに際しては、２つのスプライン軸の各々及びこれらに対応して回転動作される回転破砕刃４は、前述したように駆動源を別としており、それぞれ異なる速度で予め設定された設定値（時間）やシュレッダーの稼動毎に、交互に回転される。
【００２５】
回転破砕刃４に形成される切断刃３は、両側に切断刃を有する両刃構成となっており、回転破砕刃４の外周に断続的に複数形成されているものであるが、図３（Ａ）に示すように、回転破砕刃４の間に切断刃３よりも高さが低い刃底突起１２を形成して、裁断をより効果的に行えるようにしてもよく、また、本実施形態の切断刃３のスクイ角は１度〜３０度に形成しており、裁断するときの剪断抵抗を小さくすることで廃棄紙の裁断を効果的に行う形状としてもよいものとする。
【００２６】
以上のように、本実施形態の回転両刃シュレッダー１によれば、回転破砕刃４の切断刃３を両刃構成にすることにより、シュレッダーとしての寿命を倍増させることができる。すなわち、回転破砕刃４を構成するユニットを上下にそれぞれ反転して組み付けできるように構成することで、切断刃３の片側の切断刃のみを、廃棄紙等を裁断する切断部分として用いるのではなく、切断刃３の両側（両刃）を、廃棄紙を裁断する切断部分として用いることができるから、回転破砕刃４の寿命を長く（２倍に）することができる。
【００２７】
また、回転両刃シュレッダー１の複数積層された回転破砕刃４のうち、何れかの回転破砕刃４の切断刃３が破損した場合には、軸受フランジ７を半割に分割し、当該分割された軸受フランジ７から、複数枚の回転破砕刃４が挿入篏合されたスプライン軸２を容易に取り外すことができるから、損傷を有する切断刃３が形成された回転破砕刃４を容易に選択できさらに簡単に取り出して交換することが可能となる。
【００２８】
また、切断刃３のスクイ角を１度〜３０度に形成し、裁断するときの剪断抵抗を小さくできるので、紙鋏の如く剪断抵抗を小さくできることで廃棄紙等を裁断するときの破砕能力を向上することができる。
【００２９】
また、複数個の切断刃３の間に、該切断刃３よりも高さが低い刃底突起１２を形成することにより、より効果的に廃棄紙等を破砕することが可能となり、また、複数個の切断刃３の間に廃棄紙等が目詰まりしてしまうことを抑制することができる。
【００３０】
また、制御手段により、一対のスプライン軸２のそれぞれに対応した回転破砕刃４が同じ回転速度とならないよう交互に変速的に回転速度が切り替えられるので、廃棄紙の裁断を一層効果的に行うことが可能となる。つまり、一対のスプライン軸２のうち、一方のスプライン軸２を第１の動力伝達手段１０を介して回転駆動するインバータ制御された第１のモータと、他方のスプライン軸２を第２の動力伝達手段１１を介して回転駆動するインバータ制御された第２のモータとを備える。そして、最初は、一方のスプライン軸２を他方のスプライン軸２よりも高速で回転させ、当該回転両刃シュレッダー１の所定運転時間間隔毎、或いはオンオフの所定回数毎に、他方のスプライン軸２を一方のスプライン軸２よりも高速で回転させて（つまり、高速・低速回転のスプライン軸２を交代させる）、高速で回転されるスプライン軸２を交互に自動的に切り替える制御手段を備える。  なお、本実施形態のモータは、投入ホッパー８から投入された廃棄紙が回転破砕刃４に接触するなどして負荷が加わったことを検出する検出手段を備えており、当該検出手段により負荷が加わったことが検出されることに基づきモータが駆動されると、回転両刃シュレッダー１が稼動される。
【産業上の利用可能性】
【００３１】
本実施形態の回転両刃シュレッダー１は、廃棄紙等の不要となった紙を裁断するのに適したものであるが、紙媒体に限らず、ＣＤ、ＤＶＤ等のプラスチック製の記録媒体を処分するときの破断手段としても効果的に適用することができる。
【符号の説明】
【００３２】
１  回転両刃シュレッダー
２  スプライン軸
３  切断刃
４  回転破砕刃
５  第１のモータ
６  第２のモータ
７  軸受フランジ
８  投入ホッパー
１０  第１の動力伝達手段
１１  第２の動力伝達手段
１２  刃底突起
【図１】
2013240761.tif 000003
【図２】
2013240761.tif 000004
【図３】
2013240761.tif 000005
【図４】
2013240761.tif 000006
【図５】
2013240761.tif 000007
【図６】
2013240761.tif 000008
【図７】
2013240761.tif 000009